(57)【特許請求の範囲】
【請求項１】
樹脂通路と該通路と交差する断面円形の摺動孔とを有するハウジングと、前記摺動孔に摺動自在に挿通された断面円形のバー部材と、該バー部材の径方向に設けられた貫通孔に保持されたスクリーンとを有し、前記バー部材が溶融樹脂中の不純物を前記スクリーンにより濾過する使用位置と汚れたスクリーンを前記ハウジング外部に露出させて交換する交換位置との間で移動する溶融樹脂のスクリーン交換装置において、
前記ハウジングは、一の樹脂通路と該通路から分岐した複数の分岐路とが形成された接続部と、前記分岐路に連通する直線状通路が形成され、且つ、該直線状通路に交差するよう前記摺動孔が形成されている本体部とに分割構成され、
更に前記接続部は、一の樹脂通路を有する第１部材と、前記分岐路を有する第２部材とに分割構成されており、
前記バー部材は、交換位置に移動することで前記直線状通路を塞ぐことによって該バー部材のみで該直線状通路内への溶融樹脂の流れを遮断するように構成されていることを特徴とする溶融樹脂のスクリーン交換装置。
【発明の詳細な説明】
【０００１】
【発明の属する技術分野】
本発明は、樹脂の混練機等に使用される溶融樹脂のスクリーン交換装置に関する。
【０００２】
【従来の技術】
この種のスクリーン交換装置として、例えば、特開平８−１１１９３号公報に記載のものが公知である。
この従来のものは、樹脂通路と該通路と交差する摺動孔とを有するハウジングと、前記摺動孔に摺動自在に挿通されたバー部材と、該バー部材の径方向に設けられた貫通孔に保持されたスクリーンとを有するものであり、前記樹脂通路はハウジング内において複数の通路に分岐していた。
【０００３】
【発明が解決しようとする課題】
前記従来のものでは、ハウジング内において、樹脂通路が複数に分岐しているため、その樹脂通路の加工に際しては、斜め方向に孔を開ける必要があり、その加工は困難であり、加工コストが高かった。
そこで、本発明は、樹脂通路の加工の容易な溶融樹脂のスクリーン交換装置を提供することを目的とする。
【０００４】
【課題を解決するための手段】
前記目的を達成するために本発明は、次の手段を講じた。即ち、本発明の特徴とするところは、樹脂通路と該通路と交差する断面円形の摺動孔とを有するハウジングと、前記摺動孔に摺動自在に挿通された断面円形のバー部材と、該バー部材の径方向に設けられた貫通孔に保持されたスクリーンとを有し、前記バー部材が溶融樹脂中の不純物を前記スクリーンにより濾過する使用位置と汚れたスクリーンを前記ハウジング外部に露出させて交換する交換位置との間で移動する溶融樹脂のスクリーン交換装置において、前記ハウジングは、一の樹脂通路と該通路から分岐した複数の分岐路とが形成された接続部と、前記分岐路に連通する直線状通路が形成され、且つ、該直線状通路に交差するよう前記摺動孔が形成されている本体部とに分割構成され、更に前記接続部は、一の樹脂通路を有する第１部材と、前記分岐路を有する第２部材とに分割構成されており、前記バー部材は、交換位置に移動することで前記直線状通路を塞ぐことによって該バー部材のみで該直線状通路内への溶融樹脂の流れを遮断するように構成されている点にある。
【０００５】
本発明によれば、分岐路を有する接続部を鋳物等で製作することにより、分岐路の機械加工はほとんど不要となる。そして、機械加工を必要とする本体部は、直線状通路であるので、その孔加工は容易になる。
【０００６】
【発明の実施の形態】
図１において、ギヤポンプ１  とペレタイザー２  との間に本発明のスクリーン交換装置３  が介在されている。このギヤポンプ１  は、図示省略の樹脂混練機に接続されており、該混練機からの溶融樹脂を一定圧力でペレタイザー２  に供給するものである。前記ペレタイザー２  は、溶融樹脂をペレット状に形成するものである。そして前記スクリーン交換装置３  は、溶融樹脂中に含まれる不純物をスクリーンにより濾過し、該スクリーンの目詰まりが生じると、ギヤポンプ等を停止させることなく、汚れたスクリーンを新しいものに交換する装置である。
【０００７】
前記スクリーン交換装置３  は、樹脂通路４  と該通路４  と交差する摺動孔５  とを有するハウジング６  と、前記摺動孔５  に摺動自在に挿通されたバー部材７  と、該バー部材７  の径方向に設けられた貫通孔８  に保持されたスクリーン９  とを有する。
前記ハウジング６  は、ギヤポンプ１  に接続される入口接続部６ａと、ペレタイザー２  に接続される出口接続部６ｂと、これら両接続部６ａ，６ｂ  に挟持状に接続される本体部６ｃとに分割構成されている。
【０００８】
前記入口接続部６ａには、ギヤポンプ１  の出口と連通する一の樹脂通路４ａと該通路４ａから上下に分岐した２本の第１分岐路４ｂとが形成されている。
前記本体部６ｃには、前記第１分岐路４ｂの端部に夫々連通する上下一対の直線状通路４ｃが平行に且つ水平に貫通形成されている。この各直線状通路４ｃは、その断面が円形であり、その中央部に前記摺動孔５  が直交状に水平交差している。この上下一対の摺動孔５  は断面円形であり、前記直線状通路４ｃよりも大径とされており、本体部６ｃを貫通している。
【０００９】
前記出口接続部６ｂには、前記直線状通路４ｃの端部に夫々連通する上下の第２分岐路４ｄと該第２分岐路４ｄが合流する一の樹脂通路４ｅとを有し、この一の樹脂通路４ｅは円錐形に拡開し、ペレタイザー２  の樹脂押出孔１０に連通している。
前記摺動孔５  に摺動自在に挿通されたバー部材７  は、図２に示すように、シリンダー１１によって軸心方向に移動自在とされている。このシリンダー１１は前記ハウジング６  にタイロッド１２を介して固定されている。図２の上側のバー部材７  は、使用位置にあり、このバー部材７  の貫通孔８  に保持されたスクリーン９  は直線状通路４ｃに対面しているので、溶融樹脂はこのスクリーン９  を通って流れる。下側のバー部材７  は交換位置にあり、バー部材７  は直線状通路４ｃを塞いでいる。そして、スクリーン９  はハウジング６  から露出しているので交換可能である。
【００１０】
尚、前記スクリーン９  は、スクリーンキャップ１３と、スクリーンパック１４と、ブレーカプレート１５とから構成されている。そして、スクリーン９  は、正面視において矩形状に形成されている。スクリーンキャップ１３は、貫通孔８  を上下に二分している。また貫通孔８  を軸心方向に二分する隔壁１６が設けられている。
図３に示すものは本発明の他の実施の形態であり、前記入口接続部６ａが一の樹脂通路４ａを有する第１部材１７と、前記第１分岐路４ｂを有する第２部材１８とに分割構成されている。また、出口接続部６ｂも一の樹脂通路４ｅを有する第１部材１９と、第２分岐路４ｄを有する第２部材２０とに分割構成されている。
【００１１】
尚、本考案は、前記実施の形態に示したものに限定されるものではない。
【００１２】
【発明の効果】
本発明によれば、ハウジングの本体部には、直線状の孔の加工のみでよいので、従来のように斜めの孔加工をする必要がなくなり、加工が容易になる。分岐路は鋳物等で製作することにより製作コストが低減される。
【図面の簡単な説明】
【図１】図１は本発明の一実施の形態を示す断面図である。
【図２】図２は前記の実施の形態を示す一部断面正面図である。
【図３】図３は本発明の他の実施の形態を示す断面図である。
【符号の説明】
３    スクリーン交換装置
４    樹脂通路
４ａ  一の通路
４ｂ  分岐路
４ｃ  直線状通路
５    摺動孔
６    ハウジング
６ａ  接続部
６ｃ  本体部
７    バー部材
８    貫通孔
９    スクリーン
１７    第１部材
１８    第２部材
【図１】
0003583545.tif 000002
【図２】
0003583545.tif 000003
【図３】
0003583545.tif 000004